(57)【特許請求の範囲】
【請求項１】
腕時計の腕輪のためのクラスプ（１）であって、
第１の側において第１の腕輪ストランドに接続され第２の側において第２の腕輪ストランドに接続されるカバー（２）を備え、
前記第２の腕輪ストランドと当該クラスプ（１）の前記カバー（２）の間に接続手段が組み付けられ、
この接続手段は、接続リンク（１０）が当該クラスプ（１）の前記カバー（２）内において係合している第１の位置と、前記接続リンク（１０）が当該クラスプ（１）の前記カバー（２）と少なくとも部分的に非係合となっている第２の位置との間で、当該クラスプ（１）の長手方向に摺動する前記接続リンク（１０）を備え、
当該クラスプは、前記カバー（２）に取り付けられた少なくとも１つの第１の棒体（２１）及び少なくとも１つの第２の棒体（２２）を備え、
前記接続リンク（１０）は、少なくとも１つのフック（３２、３２’）が設けられたレバー（３）を備え、
前記少なくとも１つのフック（３２、３２’）は、前記少なくとも１つのフック（３２、３２’）が当該クラスプ（１）の前記カバー（２）と一体化された少なくとも１つの第１の棒体（２１）と係合している第１の位置から前記少なくとも１つのフック（３２，３２’）が前記第１の棒体（２１）との係合から解放されている少なくとも１つの第２の位置へと動くように構成しており、
前記接続リンクは、前記第２の棒体（２２）を前記少なくとも１つのフック（３２、３２’）と係合させるように自由に摺動する
ことを特徴とするクラスプ。
【請求項２】
前記レバーは、第１の位置から前記少なくとも第２の位置に動くとき、前記接続リンクに対して回転するように構成している
ことを特徴とする請求項１に記載のクラスプ。
【請求項３】
前記レバーは、前記接続リンク内に収容されたばねを用いて前記第１の位置に保持される
ことを特徴とする請求項１又は２に記載のクラスプ。
【請求項４】
前記少なくとも１つのフック及び前記レバーは、１つの一体化された要素を形成する
ことを特徴とする請求項１〜３のいずれか一項に記載のクラスプ。
【請求項５】
前記カバーは、第３の位置を定める少なくとも１つの第３の棒体を備える
ことを特徴とする請求項１〜４のいずれか一項に記載のクラスプ。
【請求項６】
前記接続リンク（１０）は、前記接続リンク（１０）が前記クラスプ（１）の前記カバー（２）から外れることを防ぐ止め手段を備える
ことを特徴とする請求項１〜５のいずれか一項に記載のクラスプ。
【請求項７】
前記止め手段は、前記カバー（２）の底部に形成され２つの端バンキング（１８）を形成する溝（１６）に入り込むねじ（３８）によって形成される
ことを特徴とする請求項６に記載のクラスプ。
【請求項８】
前記カバー（２）は、全体的にＵ字形の断面を有し、互いに対向している２つの翼部（１２）を備え、
これらの翼部（１２）のそれぞれの内面には、アンダーカット（１４）が形成されている
ことを特徴とする請求項１〜７のいずれか一項に記載のクラスプ。
【請求項９】
前記接続リンク（１０）には、側方ガイド面（１９）があり、これによって、前記カバー（２）内において前記カバー（２）の底部と前記翼部（１２）の間を摺動しているときにガイドされる
ことを特徴とする請求項８に記載のクラスプ。
【請求項１０】
前記レバーには２つのフックがある
ことを特徴とする請求項１〜９のいずれか一項に記載のクラスプ。
【請求項１１】
前記接続リンクには、ばねを受けるための凹部があり、
前記ばねは、少なくとも前記凹部の底部と前記レバーに支持される
ことを特徴とする請求項１〜１０のいずれか一項に記載のクラスプ。
【請求項１２】
請求項１〜１１のいずれか一項に記載のクラスプを備える
ことを特徴とする腕時計。
【発明の詳細な説明】
【技術分野】
【０００１】
本発明は、腕輪のためのクラスプに関する。特に、本発明は、腕輪の長さを精密調整する手段を備える腕時計の腕輪のためのクラスプに関する。
【背景技術】
【０００２】
従来技術において、腕時計の腕輪の長さを精密調整する手段を備えるクラスプが既に知られている。「腕輪の長さを精密調整するためのクラスプ」とは、腕時計の着用者の快適性を最適化することができるように腕輪の長さを短い距離にわたって調整してその長さを可能な限り精密に適合させるようなクラスプをいうものと理解される。このようなクラスプには、通常、接続リンクがあり、この接続リンクを介して腕輪ストランドの一方がクラスプのカバーに接続される。この端部リンクは、クラスプのカバー内に収容されている第１の引込位置と、クラスプと係合していない第２の突出位置の間で、クラスプの長手方向に摺動することができる。この結果、精密調整に利用可能な長さは、その第１の位置と第２の位置の間の端リンクの移動距離によって決まる。端部リンクは、端部リンクの位置をインデックス化するために、歯付き要素を介してアンダーカットと連係する。例えば、ラックがクラスプのカバーと一体化していることができ、歯付き要素を端リンクによって担持することができる。また、アンダーカットと歯付き要素を逆にすることを考えることもできる。例えば、欧州特許文献ＥＰ２７６５８８３は、この種のクラスプを開示している。
【０００３】
歯付き要素がアンダーカットと係合しているときには、端リンクは不動となる。歯付き要素をアンダーカットとの係合から解放するために、弾性の連結解除手段が設けられる。歯付き要素とラック歯列の間のノッチング強度は比較的低く、これによって、端リンクを引いたり押したりすることなどによって端リンクの位置を容易に変えることができる。また、腕時計を着用する人にとって、このようなシステムの取り扱いのために単純で迅速で正確な調整を行うことができなくなる。
【発明の概要】
【発明が解決しようとする課題】
【０００４】
本発明の目的は、腕時計の腕輪の長さを精密調整するためのクラスプであって、一方では、不意に調整がずれてしまうリスクがなく腕時計の腕輪の長さの調整を保持することを可能にし、他方では、特に単純で迅速な調整及び取り扱いを可能にするものを提供することによって上述の課題及び他の課題を解決することである。
【課題を解決するための手段】
【０００５】
このために、本発明は、腕時計の腕輪のためのクラスプに関し、第１の側において第１の腕輪ストランドに接続され第２の側において第２の腕輪ストランドに接続されるカバーを備える。前記第２の腕輪ストランドと当該クラスプの前記カバーの間に接続手段が組み付けられる。この接続手段は、前記接続リンクが当該クラスプの前記カバー内において係合している第１の位置と、前記接続リンクが当該クラスプの前記カバーと少なくとも部分的に非係合となっている第２の位置との間で、当該クラスプの長手方向に摺動する接続リンクを備える。当該クラスプは、前記カバーに取り付けられた少なくとも１つの第１の棒体及び少なくとも１つの第２の棒体を備える。前記接続リンクは、少なくとも１つのフックが設けられたレバーを備える。前記少なくとも１つのフックは、前記少なくとも１つのフックが当該クラスプの前記カバーと一体化された少なくとも１つの第１の棒体と係合している第１の位置から前記少なくとも１つのフックが前記第１の棒体との係合から解放されている少なくとも１つの第２の位置へと動くように構成している。前記接続リンクは、前記第２の棒体を前記少なくとも１つのフックと係合させるように自由に摺動する。
【０００６】
本発明の他の有利な代替的実施形態は、以下の特徴を有する。
−  前記レバーは、第１の位置から前記少なくとも第２の位置に動くとき、前記リンクに対して回転するように構成している。
−  前記レバーは、前記接続リンク内に収容されたばねを用いて前記第１の位置に保持される。
−  前記少なくとも１つのフック及び前記レバーは、１つの一体化された要素を形成する。
−  前記カバーは、第３の位置を定める少なくとも１つの第３の棒体を備える。
−  前記接続リンクは、前記接続リンクが前記クラスプのカバーから外れることを防ぐ止め手段を備える。
−  前記止め手段は、前記カバーの底部に形成され２つの端バンキングを形成する溝に入り込むねじによって形成される。
−  前記カバーは、全体的にＵ字形の断面を有し、互いに対向している２つの翼部を備え、これらの翼部のそれぞれの内面には、アンダーカットが形成されている。
−  前記端部リンクには、側方ガイド面があり、これによって、前記カバー内において前記カバーの底部と前記翼部の間を摺動しているときにガイドされる。
−  前記レバーには２つのフックがある。
−  前記接続リンクには、前記ばねを受けるための凹部があり、前記ばねは、少なくとも前記凹部の底部と前記レバーに支持される。
【０００７】
本発明は、さらに、本発明に係るクラスプを備える腕時計に関する。
【０００８】
本発明の他の特徴及び利点は、図面を参照しながら与えられる本発明に係る腕時計の腕輪又はベルトのためのクラスプの一実施形態についての以下の詳細な説明を読むことによって、より明確になるであろう。この例は、説明のみのために提供されるものであり、本発明の範囲を限定するように意図したものではない。
【図面の簡単な説明】
【０００９】
【図１】本発明に係るクラスプの分解斜視図である。
【図２】組み付けられた状態における図１のクラスプの斜視図である。
【図３】調整リンクが係合位置になっている本発明に係るクラスプの断面図である。
【図４】精密調整リンクが非係合位置になっている本発明に係るクラスプの断面図である。
【図５】本発明に係るクラスプの調整リンクの詳細斜視図である。
【図６】本発明に係るクラスプを下方から見た斜視図である。
【発明を実施するための形態】
【００１０】
以下、腕時計の腕輪の例に基づいて本発明を説明する。しかし、この例が説明のみを目的として与えられるものであり、これに限定されるものではなく、本発明に係るクラスプをベルトバックルなどにも使用可能であることは当然である。
【００１１】
図１は、本発明に係るクラスプの分解斜視図であり、図２は、同じクラスプの組み付けられた状態における斜視図である。本発明に係るクラスプ１は、カバー２を備え、このカバー２は、第１の側で第１の腕輪ストランド（図示せず）に接続し、ここに折り畳みバックル式の固定システム６とクラスプロック手段が挿入される。これらの構造は知られており、ここではさらに説明しない。なお、折り畳みバックル式の固定システム６を省くことができ、カバー２を第１の腕輪ストランドに直接接続することができる。カバー２は、この腕輪の長さを精密調整するための接続リンク１０を用いて、第２の側で第２の腕輪ストランド（図示せず）に接続されている。これらの腕輪ストランドは、リンク列によって形成することができ、また、皮革、織物、さらにはエラストマー材料で作られたストランドによって形成することができる。
【００１２】
図１に示しているように、カバー２は、全体的にＵ字形の断面を有し、互いに対向する２つの翼部１２を備え、これらの翼部１２のそれぞれの内面には溝１４がある。また、カバー２の底部に空洞１６が形成されており、この空洞１６が２つの端バンキング１８を形成している。その役割について以下に詳細に説明する。最後に、接続リンク１０には側方ガイドレール２０があり、これによって、カバー２内においてカバー２の底部と翼部１２の間を摺動しているときにガイドされる。図３及び図４は、接続リンク１０がクラスプ１のカバー２と係合している第１の位置（図３）と、接続リンク１０がクラスプ１のカバー２と少なくとも部分的に非係合となっている第２の位置（図４）との間で、接続リンク１０がクラスプ１の長手方向に摺動可能であることを示している。腕輪を調整するために利用可能な長さは、第１の位置と第２の位置の間の接続リンク１０の移動距離によって決まる。
【００１３】
クラスプ１は、さらに、互いに離間している少なくとも２つの棒体２１、２２を備え、これらの棒体２１、２２は、カバー２内においてクラスプの幅方向に取り付けられており、棒体の各端部は、カバー２の翼部１２内にて加工された非貫通オリフィス１３内に載置されるように構成しており、これらの２つの棒体は、リンク１０の第１及び第２の位置を定める。棒体２１、２２は、取り外し可能なように又は固定されるように設けられ、少なくとも１つのフック３２、３２’と連係して接続リンク１０を第１又は第２の位置にロックするように構成している。当業者であれば、必要に応じて、例えば、第３の棒体及び第３のフックを追加することは、特に困難ではないであろう。
【００１４】
接続リンク１０には、互いに離れた２つの端部１５があり、その間に第２の腕輪ストランドのリンク又はストランドの一端が互いにロックされる。このアセンブリーは、端部１５及び第２の腕輪ストランドのリンク／ストランドを通り抜けるように自由に動く棒体１６によって確実にされ、この棒体１６は、全体的又は部分的に接続リンク１０内に収容される２つの端部ねじ１７によって保持される。
【００１５】
接続リンク１０は、さらに、少なくとも２つのフック３２、３２’がある第１の部分３０があるレバー３を備え、その各フック３２、３２’は、クラスプ１の幅方向に機械加工することによってレバー３の第１の部分に形成され、各フックは棒体２１、２２の寸法と同等であるがわずかに大きい寸法を有する。単一のフックも考えることができ、その長さは、第１の棒体と最後の棒体の間の距離に対応する。この方法の短所は、選択された棒体上のフックのポジショニングの正確性が下がることである。
【００１６】
レバー３が接続リンク１０に組み付けられた後のクリアランスを制限するために、レバーの第１の部分の幅は、カバー２の幅よりもわずかに小さくなるようにされる。また、レバー３には、さらに、第１の部分３０よりも狭く押し部品として機能する第２の部分３１があり、この第２の部分３１の土台部に貫通穴３３が形成され、この貫通穴３３の断面は環状であり回転軸を形成し、これによって、接続リンク１０に対してレバー３を回転させることができる。接続リンク１０とレバー３との組み付けは、接続リンク１０と貫通孔３３とを通り抜けるピン１９によって確実にされる。好ましいことに、レバー３の第２の部分３１は、リンクに対してわずかに上方を向いており、これによって、正の勾配を形成し、押し部品３０を形成するこの第２の部分を着用者がクラスプに垂直な方向に押したときのレバレッジを大きくする。
【００１７】
レバー３は、少なくとも１つのフック３２、３２’がカバー２と一体化された少なくとも１つの第１のバー２１、２２と係合している第１の位置から、フックが棒体との係合から解放されている少なくとも１つの第２の位置へと、動くように構成している。
【００１８】
接続リンク１０には、実質的に平行六面体の形の非貫通凹部１１があり、ここにトーションばね４が配置され、このばね４はレバー３の第２の部分３１の端部によってカバーされる。接続リンク１０とレバーが図２に示しているように互いに組み付けられる場合、圧縮されるように取り付けられるトーションばね４は、フック３２、３２’が棒体と係合するようにレバーを棒体２１、２２の方に押すことがわかる。逆に、押し部品を形成する第２の部分３１の端部がばね４の弾性戻り力に対抗するように矢印Ａの方向に押されると、前記一又は複数のフック３２、３２’は、カバー２の一又は複数の棒体との係合から解放され、したがって、リンク１０はカバーに対して自由に摺動する。
【００１９】
また、図５は、接続リンク１０内に形成される平行六角形の凹部１１の各側面において、２つの円筒状の凹部１２が機械加工されていることを示しており、これらの円筒状の凹部１２に２つのねじ山付き貫通穴１３が形成され、このねじ山付き貫通穴１３内にねじ１４がねじ込まれ、このねじ１４の胴部の端部がカバー２の底部に形成された空洞１６内に入り込む。この空洞１６は、その両端において空洞１６の底部に達するバンキング１８によって非貫通にされているので、ねじ１４が穴１３内にねじ込まれた後には接続リンク１０を失うことはない。本発明の１つの代替的実施形態において、円筒状の凹部１２内にブッシュ（図示せず）を入れ込み又は接着し、これによって、ねじ１４を隠し、ユーザーに見える穴を残さないようにする。
【００２０】
なお、本発明は、上述した実施の形態に限定されるものではなく、当業者であれば請求の範囲によって定められる本発明の範囲を逸脱せずに様々な単純な代替構成や改変を考えることができることは当然である。
【００２１】
特に、ねじりばね４をＶ字形の輪郭を有する細長材ばねで置き換えることができる。この細長材ばねは、その中心において接続リンク１０の底部にあるねじを用いて固定され、レバー３は細長材ばねに対抗するように弾性的に支持される。細長材ばねのたわみの程度によって、レバーの移動距離、したがって、フック３２の移動距離、が決まる。この結果、接続リンク１０の調整が偶発的におかしくなることがないように、フック３２の空欠部に完璧に棒体２１、２２が嵌まる。
【００２２】
したがって、ユーザーは、クラスプを調整するために、まず、レバーにアクセスできるようにするためにクラスプ１を展開する。そして、ユーザーは、押し部品を形成するレバーの部分を押して、前記一又は複数のフック３２、３２’を前記一又は複数の棒体２１、２２から外して、かくして、接続リンク１０を自由に摺動するようにし、着用者は、接続リンク１０を押したり接続リンク１０を引いたりして適合する腕輪の長さを選択することができる。最後に、着用者は、長さを選択した後に、押し部品を解放し、この押し部品はばね４の影響下で安静位置に戻り、フック３２、３２’のうちの少なくとも１つが少なくとも１つの棒体と係合して位置がロックされる。そして、着用者は、クラスプ１を単純に閉じて腕時計を装着する。
【００２３】
なお、本発明に係るクラスプを衣服のベルトにも用いることができることは当然である。このような場合、このようなベルトの第１の端部は、クラスプのカバー２に直接接続され、ベルトの第２の端部は、接続リンク１０を備える本発明に係る接続手段を挿入してクラスプのカバー２に接続される。
【符号の説明】
【００２４】
１  クラスプ
２  カバー
３  レバー
１０  接続リンク
１２  翼部
１６  溝
１８  端バンキング
１９  側方ガイド面
２１、２２  棒体
３２、３２’、３４  フック
３８  ねじ
【図１】
0006980838.tif 000002
【図２】
0006980838.tif 000003
【図３】
0006980838.tif 000004
【図４】
0006980838.tif 000005
【図５】
0006980838.tif 000006
【図６】
0006980838.tif 000007